(57)【要約】【課題】前垂部のうち桟部側部分および下方に切欠形成された伝統的な一文字軒瓦において、前垂部がより同一平面状に配置されるようにしつつ、熟練した施工技能を不要としつつ、且つ、成功工数を低減できる一文字軒瓦を提供する。【解決手段】一文字軒瓦１は、前垂部２０の切欠部２１の側方端面２１ａおよび前垂部２０の襟側部端面２３のうち一方端面に沿うように、且つ、一方端面から突出するように形成され、その手前面３１が前垂部２０の手前面２２から奥側に傾斜する平面状に形成される第一突条部３０を備える。さらに、前垂部２０の切欠部２１の側方端面２１ａおよび前垂部２０の襟部側端面２３のうち他方端面には、隣接して配置される一文字軒瓦１の第一突条部３０の手前面３１を被覆し、前垂部２０の手前面２２から奥側に傾斜し且つ第一突条部３０の手前面３１に平行な平面状に形成される第一被覆面２３を形成する。【選択図】図１
2008297722.tif 000002
【特許請求の範囲】
【請求項１】
上面本体部と、
前記上面本体部の頭部から下方へ垂れ形成され、下縁が直線状に形成される前垂部と、
を備える一文字軒瓦において、
前記上面本体部は、左右方向の中央に位置する上面中央部と、前記上面中央部の左右端の一方に形成される桟部と、隣接して配置される前記一文字軒瓦の前記桟部の下面に重ね合わさるように前記上面中央部の左右端の他方に形成される襟部と、を備え、
前記前垂部は、前記桟部側および下方の部分に、隣接して配置される前記一文字軒瓦の前記前垂部のうち前記襟部側部分を配置可能に切欠形成され、手前面全面が隣接して配置される前記一文字軒瓦の前記前垂部の手前面と同一平面に位置する平面状に形成され、
前記一文字軒瓦は、さらに、前記前垂部の前記切欠部の側方端面および前記前垂部の前記襟側部端面のうち一方端面に沿うように、且つ、前記一方端面から突出するように形成され、その手前面が前記前垂部の手前面から奥側に傾斜する平面状に形成される第一突条部を備え、
前記前垂部の前記切欠部の側方端面および前記前垂部の前記襟部側端面のうち他方端面には、隣接して配置される前記一文字軒瓦の前記第一突条部の手前面を被覆し、前記前垂部の手前面から奥側に傾斜し且つ前記第一突条部の手前面に平行な平面状に形成される第一被覆面を形成することを特徴とする一文字軒瓦。
【請求項２】
さらに、前記前垂部の前記切欠部の下方端面に沿うように、且つ、前記下方端面から下方に突出するように形成され、その手前面が前記前垂部の手前面から奥側に傾斜する平面状に形成される第二突条部を備え、
前記襟部の頭部上面には、隣接して配置される前記一文字軒瓦の前記第二突条部の手前面を被覆し、前記第二突条部の手前面に平行な平面状に形成される第二被覆面を形成する請求項１に記載の一文字軒瓦。
【請求項３】
前記第二突条部の手前面は、前記上面中央部側から前記桟部の端に行くに従って、前記前垂部の手前面から奥側に傾斜する方向に延びるように形成される請求項２に記載の一文字軒瓦。
【請求項４】
さらに、前記襟部の頭部上面から上方に突出するように形成され、その手前面が前記襟部の頭部上面から奥側に傾斜する平面状に形成される第二突条部を備え、
前記前垂部の前記切欠部の下方端面には、隣接して配置される前記一文字軒瓦の前記第二突条部の手前面を被覆し、前記第二突条部の手前面に平行な平面状に形成される第二被覆面を形成する請求項１に記載の一文字軒瓦。
【請求項５】
前記第二突条部の手前面は、前記襟部の端から前記上面中央部側に行くに従って、前記前垂部の手前面から奥側に傾斜する方向に延びるように形成される請求項４に記載の一文字軒瓦。
【発明の詳細な説明】
【技術分野】
【０００１】
本発明は、一文字軒瓦に関するものである。
【背景技術】
【０００２】
一文字軒瓦とは、前垂部が平面状に形成され、前垂部の下縁が直線状に形成されている。そして、一般的な一文字軒瓦は、特開平９−６０２０２号公報（特許文献１）の従来技術として開示されている図１６に記載されている。この図に記載の一文字軒瓦の前垂部は、桟部側および下方の部分に切欠形成されている。そして、この切欠部に、隣接して配置される一文字軒瓦の前垂部のうち襟部側部分を配置可能に切欠形成されている。
【０００３】
このような一文字軒瓦においては、連続して配置される一文字軒瓦の前垂部が、同一平面状に配置されるように、施工現場にて調整している。特に、一文字軒瓦においては、正面から見た場合に、隣接して配置される一文字軒瓦の間に隙間が形成されることがないように調整している。具体的には、前垂部の切欠部の側方端面と隣接する前垂部の襟部側端面との間の隙間、および、前垂部の切欠部の下方端面と隣接する一文字軒瓦の襟部の頭部上面との間の隙間がなくなるように、当該切欠部に取り代を残した状態で成形し、施工現場にて取り代分を調整しながら削り取ることを行っている。このように、一文字軒瓦は、施工に非常に熟練した技能を有するとともに、多大な施工工数を要する。
【０００４】
そのため、熟練した施工技能を不要とし、且つ、施工工数を低減できるようにすることが望まれる。そこで、この問題を解決するための一文字軒瓦が、特許文献１に記載されている。この一文字軒瓦の前垂部は桟部側の裏面および襟部側の表面がそれぞれ側端部に向かうに従い薄肉となるように、斜面を有する摺接面を設けている。そのため、隣接する一文字軒瓦の前垂部の桟部側裏面に前垂部の襟部側を重合させられ、軒瓦の葺設時に左右方向のスライド寸法調整を可能としている。
【特許文献１】特開平９−６０２０２号公報
【発明の開示】
【発明が解決しようとする課題】
【０００５】
ここで、一文字軒瓦においては、連続して配置される一文字軒瓦の前垂部が、同一平面状に形成されるようにすることが、一文字軒瓦に要請される美観である。さらに、やはり、伝統的な一文字軒瓦、すなわち、前垂部のうち桟部側および下方の部分に、隣接して配置される一文字軒瓦の前垂部を配置可能に切欠形成されていることが要請される。
【０００６】
しかし、特許文献１に記載の一文字軒瓦では、前垂部の桟側の表面形状が湾曲するように薄肉形成されているため、隣接する一文字軒瓦の前垂部との境界部分に、大きな段差が形成されている。そのため、隣接する前垂部が同一平面状に配置されているようには見えない。従って、隣接する前垂部がより同一平面状に配置されているように見えるようにすることが望まれる。さらに、特許文献１に記載の一文字軒瓦は、前垂部のうち桟部側および下方の部分に切欠形成されていない。従って、いわゆる伝統的な一文字軒瓦の形状とは異なる。
【０００７】
本発明は、このような事情に鑑みてなされたものであり、前垂部のうち桟部側部分および下方に切欠形成された伝統的な一文字軒瓦において、前垂部がより同一平面状に配置されるようにしつつ、熟練した施工技能を不要としつつ、且つ、成功工数を低減できる一文字軒瓦を提供することを目的とする。
【課題を解決するための手段】
【０００８】
本発明の一文字軒瓦は、
上面本体部と、
上面本体部の頭部から下方へ垂れ形成され、下縁が直線状に形成される前垂部と、
を備える一文字軒瓦において、
上面本体部は、左右方向の中央に位置する上面中央部と、上面中央部の左右端の一方に形成される桟部と、隣接して配置される一文字軒瓦の桟部の下面に重ね合わさるように上面中央部の左右端の他方に形成される襟部と、を備え、
前垂部は、桟部側および下方の部分に、隣接して配置される一文字軒瓦の前垂部のうち襟部側部分を配置可能に切欠形成され、手前面全面が隣接して配置される一文字軒瓦の前垂部の手前面と同一平面に位置する平面状に形成され、
一文字軒瓦は、さらに、前垂部の切欠部の側方端面および前垂部の襟側部端面のうち一方端面に沿うように、且つ、一方端面から突出するように形成され、その手前面が前垂部の手前面から奥側に傾斜する平面状に形成される第一突条部を備え、
前垂部の切欠部の側方端面および前垂部の襟部側端面のうち他方端面には、隣接して配置される一文字軒瓦の第一突条部の手前面を被覆し、前垂部の手前面から奥側に傾斜し且つ第一突条部の手前面に平行な平面状に形成される第一被覆面を形成することを特徴とする。
【０００９】
本発明の一文字軒瓦によれば、前垂部は、桟部側および下方に、隣接して配置される一文字軒瓦の前垂部の襟部側を配置可能に切欠形成されている。従って、伝統的な一文字軒瓦の形状をなしている。つまり、本発明の一文字軒瓦は、伝統的な一文字軒瓦を前提としている。
【００１０】
さらに、第一突条部と第一被覆面と備えることにより、隣接する一文字軒瓦の前垂部の左右端面の境界が完全に一致しないとしても、施工現場にて削り取るなどの調整を行うことなく、一文字軒瓦を正面から見た場合に、前垂部の切欠部の側方端面と隣接する前垂部の襟部側端面との間に隙間が形成されないように、且つ、前垂部が同一平面状に位置するようにできる。具体的には、第一突条部の手前面が傾斜平面であり、第一被覆面がそれに平行な傾斜平面であるため、両者を左右方向および前後方向にスライドさせることができ、このようにスライドさせたとしても、正面から見た場合に隙間が形成されない。従って、当該部位を現場で施工することを不要とするため、熟練した技能を不要とし、且つ、施工工数を低減できる。
【００１１】
さらに、第一突条部の手前面と第一被覆面の被覆面が平行な平面状に形成されている。従って、第一突条部の手前面と第一被覆面の被覆面とは、接触しているか、もしくは、非常に微小な隙間が形成される状態となる。このように、前垂部の境界部分が、ほとんど目立たない。そして、前垂部の手前面全面が、平面状に形成されている。そのため、連続配置される一文字軒瓦を正面から見た場合に、そのほとんどが平面状の前垂部となり、これらが同一平面状に配置されている。そして、正面から見た場合のみならず、右斜め方向から前垂部を見たとしても、さらには、左斜め方向から前垂部を見たとしても、ほぼ同一平面状に位置しているように見える。つまり、非常に美観に優れた一文字軒瓦とできる。
【００１２】
また、本発明の一文字軒瓦は、さらに、前垂部の切欠部の下方端面に沿うように、且つ、下方端面から下方に突出するように形成され、その手前面が前垂部の手前面から奥側に傾斜する平面状に形成される第二突条部を備え、
襟部の頭部上面には、隣接して配置される一文字軒瓦の第二突条部の手前面を被覆し、第二突条部の手前面に平行な平面状に形成される第二被覆面を形成するとよい。
【００１３】
このように、第二突条部と第二被覆面と備えることにより、隣接する一文字軒瓦における、前垂部の切欠部の下方端面と襟部の頭部上面とが完全に一致しないとしても、施工現場にて削り取るなどの調整を行うことなく、一文字軒瓦を正面から見た場合に、前垂部の切欠部の下方端面と襟部の頭部上面との間に隙間が形成されないように、且つ、前垂部が同一平面状に位置するようにできる。具体的には、第二突条部の手前面が傾斜平面であり、第二被覆面がそれに平行な傾斜平面であるため、両者を左右方向および前後方向にスライドさせることができ、このようにスライドさせたとしても、正面から見た場合に隙間が形成されない。従って、当該部位を現場で施工することを不要とするため、熟練した技能を不要とし、且つ、施工工数を低減できる。さらに、第二突条部の手前面と第二被覆面の被覆面との間に形成される可能性のある隙間は、非常に微小となる。従って、美観が非常に良好となる。
【００１４】
また、本発明の一文字軒瓦において、第二突条部の手前面は、上面中央部側から桟部の端に行くに従って、前垂部の手前面から奥側に傾斜する方向に延びるように形成されるとよい。これにより、隣接する一文字軒瓦を左右方向および前後方向にスライドする際に、第二突条部と第二被覆面との間の生じるおそれのある隙間を狭くできる。これにより、より美観を良好にすることができる。
【００１５】
ここで、上述した第二突条部は、前垂部の切欠部の下方端面に形成し、第二被覆面が襟部の頭部上面に形成した。これらを両者反対に形成することもできる。すなわち、本発明の一文字軒瓦は、さらに、襟部の頭部上面から上方に突出するように形成され、その手前面が襟部の頭部上面から奥側に傾斜する平面状に形成される第二突条部を備え、
前垂部の切欠部の下方端面には、隣接して配置される一文字軒瓦の第二突条部の手前面を被覆し、第二突条部の手前面に平行な平面状に形成される第二被覆面を形成するようにしてもよい。
【００１６】
この場合も、実質的に、上述した場合と同様である。すなわち、第二突条部と第二被覆面と備えることにより、隣接する一文字軒瓦における、前垂部の切欠部の下方端面と襟部の頭部上面とが完全に一致しないとしても、施工現場にて削り取るなどの調整を行うことなく、一文字軒瓦を正面から見た場合に、前垂部の切欠部の下方端面と襟部の頭部上面との間に隙間が形成されないように、且つ、前垂部が同一平面状に位置するようにできる。
【００１７】
そして、この場合、第二突条部の手前面は、襟部の端から上面中央部側に行くに従って、前垂部の手前面から奥側に傾斜する方向に延びるように形成されるとよい。これにより、隣接する一文字軒瓦を左右方向および前後方向にスライドする際に、第二突条部と第二被覆面との間の生じるおそれのある隙間を狭くできる。これにより、より美観を良好にすることができる。
【発明を実施するための最良の形態】
【００１８】
次に、実施形態を挙げ、本発明をより詳しく説明する。
【００１９】
＜第一実施形態＞
第一実施形態の一文字軒瓦について、図１〜図６を参照して説明する。図１は、一文字軒瓦１の正面図である。図２は、一文字軒瓦１の平面図である。図３は、一文字軒瓦１の右側面図である。図４は、一文字軒瓦１の左側面図である。図５は、一文字軒瓦１の底面図である。図６は、正面から見た場合に、隣接する一文字軒瓦１の境界部分の部分正面図である。なお、以下の説明において、手前側とは、一文字軒瓦１を正面から見た場合における手前側、すなわち、前垂部２０側を意味し、奥側とは、一文字軒瓦１を正面から見た場合における奥側、すなわち、前垂部２０とは反対側である尻部側を意味する。
【００２０】
一文字軒瓦１は、屋根の軒先部分に搭載する瓦である。この一文字軒瓦１は、図１〜図５に示すように、上面本体部１０と、前垂部２０と、第一突条部３０と、第二突条部４０とを備えている。
【００２１】
上面本体部１０は、図２に示すように、上方から見た場合に、ほぼ方形からなる部分である。この上面本体部１０の上面は、図１に示すように、左右方向に波を打つように形成されている。具体的には、本実施形態の一文字軒瓦１は、左側部分に山の頂部が位置し、左右方向中央部が谷の最深部分が位置し、さらに右側に向かって登るように形成されている。さらに、上面本体部１０の下面は、その上面に対応する形状に形成されている。つまり、上面本体部１０は、全体に亘って、ほぼ同じ厚みとなるように形成されている。
【００２２】
この上面本体部１０は、上面中央部１１と、桟部１２と、襟部１３とから構成される。上面中央部１１は、図１に示すように、左右方向の中央に位置する部分であって、山の頂部から、谷の最深部分を含み、さらに右側に登る部分までの範囲である。この上面中央部１１の頭部の縁形状は、図２に示すように、上方から見た場合に、左右方向に平行な直線状に形成されている。
【００２３】
桟部１２は、図１に示すように、上面中央部１１の左端に形成される部分であって、山の頂部から下る部分の範囲である。この桟部１２の頭部の縁形状は、図２に示すように、上方から見た場合に、上面中央部１１の頭部の縁形状に対して、僅かに手前側（図２の下側）から奥側（図２の上側）に向かって傾斜するようにほぼ直線状に形成されている。
【００２４】
襟部１３は、図１に示すように、上面中央部の右端に形成される部分であって、谷の最深部よりもさらに右側部分から登る部分の範囲である。この襟部１３は、隣接して配置される一文字軒瓦１の桟部の下面に重ね合わさるように配置される。この襟部１３の頭部の縁形状は、図２に示すように、上方から見た場合に、上面中央部１１の頭部の縁形状と同一直線状に形成されている。
【００２５】
また、この襟部１３の頭部のうち右端部には、図２に示すように、上方から見た場合に、切欠部１３ａが形成されている。この切欠部１３ａは、隣接して配置される一文字軒瓦１における後述する第一突条部３０を収容するためのものである。
【００２６】
さらに、襟部１３の頭部の右端側上面には、図２および図３に示すように、上面凹状部１３ｂが形成されている。この上面凹状部１３ｂのうち最も手前側に位置する面１３ｃ（以下、「第二被覆面」と称する）は、平面状に形成されている。この第二被覆面１３ｃは、左右方向において、襟部１３の右前の角部から奥側に向かって、襟部１３の頭部の縁形状に対するなす角度が約２０°となるように傾斜する平面状をなしている。さらに、第二被覆面１３ｃは、深くなる方向において、襟部１３の上面から奥側に向かうように形成されている。さらに、第二被覆面１３ｃは、後述する第二突条部４０の手前面４１に平行に形成されている。さらに、第二被覆面１３ｃは、隣接して配置される一文字軒瓦１における後述する第二突条部４０の手前面４１を被覆する。
【００２７】
前垂部２０は、上面本体部１０の頭部から下方へ垂れ形成されている。さらに、この前垂部２０には、図１に示すように、桟部１２側および下方の部分に切欠形成されている。この切欠部２１には、隣接して配置される一文字軒瓦１の前垂部２０を配置可能に、襟部１３の側端面および上面の形状に対応した形状をなしている。さらに、前垂部２０の手前面２２全面が、隣接して配置される一文字軒瓦１の前垂部２０の手前面２２と同一平面に位置する平面状に形成されている。
【００２８】
この前垂部２０の右端面２３（以下、「第一被覆面」と称する）は、前垂部２０の手前面２２の右端部から左奥側に向かって約４５°の傾斜角度に傾斜するような平面状をなしている。さらに、この前垂部２０の第一被覆面２３は、後述する第一突条部３０の手前面３１に平行に形成されている。さらに、当該第一被覆面２３は、隣接して配置される一文字軒瓦１における後述する第一突条部３０の手前面３１を被覆する。
【００２９】
第一突条部３０は、前垂部２０の切欠部２１の左端面２１ａの全体に沿うように、且つ、前垂部２０の切欠部２１の当該左端面２１ａから突出するように形成されている。この第一突条部３０は、先端側（左側）に向かって、細くなるように形成されている。そして、第一突条部３０の手前面３１が、前垂部２０の手前面２２から奥側（先端側）に向かって約４５°の傾斜角度に傾斜するような平面状に形成されている。
【００３０】
第二突条部４０は、図１および図４に示すように、前垂部２０の切欠部２１の下方端面２１ｂから下方に突出するように形成されている。この第二突条部４０は、図５に示すように、前垂部２０の切欠部２１の下方端面２１ｂの縁形状に沿うように、切欠部２１の左端面２１ａから桟部１２の左端側に至るまで、左右方向に延びるように形成されている。つまり、第二突条部４０は、桟部１２の頭部の縁形状が手前側から奥側に向かって傾斜する方向に延びるように形成されている。換言すると、第二突条部４０の手前面４１が、上面中央部１１側から桟部１２の端に行くに従って、前垂部２０の手前面２２から奥側に傾斜する方向に延びるように形成されている。さらに、この第二突条部４０の手前面４１は、図４に示すように、前垂部２０の手前面２２から奥側に傾斜する平面状に形成されている。
【００３１】
ここで、一文字軒瓦１などの屋根瓦は、粘土を成形した後に、乾燥、焼成などを行って製造する。そして、乾燥、焼成後の形状は、乾燥、焼成前の形状に比べて、縮小してしまう。そのため、完成品の一文字軒瓦１の形状精度を高めることは困難である。
【００３２】
そのため、一文字軒瓦１を軒先に連続して配置した場合に、前垂部２０の切欠部２１とその隣に配置される一文字軒瓦１の前垂部２０の襟部１３側部分との間に隙間が形成される。これらの隙間をなくすために、従来は、施工現場にて瓦を削り加工することで、調整していた。
【００３３】
これに対して、上述した本実施形態の一文字軒瓦１によれば、施工現場における調整が不要となる。具体的には、図６に示すように、第一突条部３０と第一被覆面２３とにより、前垂部２０の切欠部２１の左端とその隣に配置される一文字軒瓦１の前垂部２０の右端との間に隙間が形成されないようになる。そして、第一突条部３０と第一被覆面２３の形状の関係より、隣接して配置される一文字軒瓦１は、左右方向および前後方向にスライド調整可能となる。さらに、第一突条部３０と第一被覆面２３との間に隙間が形成されるとしても、その隙間は非常に微小な隙間となる。
【００３４】
さらに、第二突条部４０と第二被覆面１３ｃとにより、前垂部２０の切欠部２０の下方端面とその隣に配置される一文字軒瓦１の襟部１３の頭部上面との間に隙間が形成されないようになる。そして、第二突条部４０と第二被覆面１３ｃの形状の関係より、隣接して配置される一文字軒瓦１は、左右方向および前後方向にスライド調整可能となる。さらに、第二突条部４０と第二被覆面１３ｃとの間に隙間が形成されるとしても、その隙間は非常に微小な隙間となる。
【００３５】
従って、隣接して配置される一文字軒瓦１の前垂部２０の手前面２２は、同一平面状に容易に位置することができる。さらに、隣り合う前垂部２０同士の隙間は、非常に微小な隙間となり、その部分の段差が非常に目立たないようになる。そのため、多数連続して配置する一文字軒瓦１の前垂部２０の手前面２２により、全体に亘って同一平面が形成されているように見える。このように、一文字軒瓦１として、非常に良好な美観を発揮することができる。
【００３６】
＜第二実施形態＞
次に、第二実施形態の一文字軒瓦１００について、図７〜図１０を参照して説明する。図７は、図７は、一文字軒瓦１の正面図である。図８は、一文字軒瓦１の平面図である。図９は、一文字軒瓦１の右側面図である。図１０は、一文字軒瓦１の左側面図である。ここで、第二実施形態の一文字軒瓦１００において、第一実施形態の一文字軒瓦１と同一構成については同一符号を付して詳細な説明を省略する。第二実施形態の一文字軒瓦１００は、第一実施形態の一文字軒瓦１における上面凹状部１３ｂおよび第二突条部４０を、それぞれ、上面突起部１１３および切欠部凹状部１４０に変更したものである。以下、これらについて説明する。
【００３７】
上面突起部１１３（本発明における第二突条部に相当する）は、図７〜図９に示すように、襟部１３の頭部の右端側上面から情報に突出するように形成されている。この上面突起部１１３の手前面１１３ａは、襟部１３の頭部上面から奥側に傾斜する平面状に形成されている。さらに、上面突起部１１３の手前面１１３ａは、襟部１３の端から上面中央部１１側に行くに従って、前垂部２０の手前面２２から奥側に傾斜する方向に延びるように形成されている。そして、この上面突起部１１３の左右方向幅は、桟部１２の左右方向幅とほぼ同等である。
【００３８】
切欠部凹状部１４０（本発明における第二被覆面に相当する）は、前垂部２０の切欠部２１の下方端面に、上方に凹状に形成されている。この切欠部凹状部１４０の手前面１４０ａは、上面突起部１１３の手前面１１３ａに平行な平面状に形成されている。さらに、切欠部凹状部１４０は、隣接して配置される一文字軒瓦１００の上面突起部１１３が収容されるように形成されている。このとき、切欠部凹状部１４０の手前面１４０ａは、正面から見た場合に、上面突起部１１３の手前面１１３ａを被覆している。
【００３９】
このよう、第二実施形態の一文字軒瓦１００においても、第一実施形態の一文字軒瓦１と同様の効果を奏する。
【図面の簡単な説明】
【００４０】
【図１】第一実施形態の一文字軒瓦１の正面図である。
【図２】一文字軒瓦１の平面図である。
【図３】一文字軒瓦１の右側面図である。
【図４】一文字軒瓦１の左側面図である。
【図５】一文字軒瓦１の底面図である。
【図６】正面から見た場合に、隣接する一文字軒瓦１の境界部分の部分正面図である。
【図７】第二実施形態の一文字軒瓦１００の正面図である。
【図８】一文字軒瓦１００の平面図である。
【図９】一文字軒瓦１００の右側面図である。
【図１０】一文字軒瓦１００の左側面図である。
【符号の説明】
【００４１】
１、１００：一文字軒瓦、
１０：上面本体部、  １１：上面中央部、  １２：桟部、
１３：襟部、  １３ａ：切欠部、  １３ｂ：上面凹状部、  １３ｃ：第二被覆面、
２０：前垂部、
２１：切欠部、  ２１ａ：切欠部の左端面、  ２１ｂ：切欠部の下方端面、
２２：前垂部の手前面、  ２３：第一被覆面、
３０：第一突条部、  ３１：第一突条部の手前面、
４０：第二突条部、  ４１：第二突条部の手前面、
１１３：上面突起部、  １１３ａ：上面突起部の手前面、
１４０：切欠部凹状部、  １４０ａ：切欠部凹状部の手前面
【図１】
2008297722.tif 000003
【図２】
2008297722.tif 000004
【図３】
2008297722.tif 000005
【図４】
2008297722.tif 000006
【図５】
2008297722.tif 000007
【図６】
2008297722.tif 000008
【図７】
2008297722.tif 000009
【図８】
2008297722.tif 000010
【図９】
2008297722.tif 000011
【図１０】
2008297722.tif 000012